(57)【要約】【課題】各シーンカテゴリに帰属する映像データ数表示を、レーティング設定に応じて異ならせることで、実際に再生される映像がシーンカテゴリ内にひとつも存在しないことを、撮影時に知らしめることができる映像記録再生装置を提供すること。【解決手段】シナリオのシーン毎に撮影したテイク数を管理する手段と、管理しているテイク数を表示する手段と、再生レーティングを各テイク毎に設定する手段と、設定した再生レーティングに応じて、撮影したテイク数表示を切り替える手段を有することを特徴とする。【選択図】図１
2016122940.tif 000002
【特許請求の範囲】
【請求項１】
映像を撮影する撮影手段と、映像や各種情報を表示する表示手段と、
複数のシーン名を時系列的に記述したシナリオデータを保存するシナリオデータ保存手段と、前記シーンを選択するシーン選択手段と、前記撮影手段により撮影されたテイクを前記シーン選択手段により選択された各シーンに関連付けて記録する記録手段と、各シーン毎に関連付けられているテイクの数を管理するテイク数管理手段と、前記各シーン毎のテイク数を表示するテイク数表示手段と、
前記撮影された各テイク毎にレーティングを設定するレーティング設定手段と、再生レーティングを設定する再生レーティング設定手段と、前記設定された再生レーティングと、各テイク毎に設定されたレーティングとを比較し、その結果に応じて再生するテイクを抽出する抽出手段を有し、
前記再生レーティングが設定されている場合には、再生レーティングが設定されていない場合とは異なる前記テイク数表示を行うことを特徴とする映像記録再生装置。
【請求項２】
前記再生レーティングが設定されている場合、前記抽出手段により抽出されたテイクの数を、前記各シーン毎のテイク数として表示することを特徴とする請求項１に記載の映像記録再生装置。
【請求項３】
前記再生レーティングが設定されている場合であって、前記抽出手段により抽出されたテイクが前記シーン内に一つも存在しない場合、前記該当シーンにもともと関連付けられているテイクの数を、通常とは異なる色で表示することを特徴とする請求項１に記載の映像記録再生装置。
【請求項４】
前記再生レーティングが設定されている場合であって、前記抽出手段により抽出されたテイクが前記シーン内に一つも存在しない場合、前記該当シーンにもともと関連付けられているテイク数を、通常とは異なる大きさで表示することを特徴とする請求項１に記載の映像記録再生装置。
【請求項５】
前記再生レーティングが設定されている場合であって、前記抽出手段により抽出されたテイクが前記シーン内に一つも存在しない場合、前記該当シーン名を、通常とは異なる色で表示することを特徴とする請求項１に記載の映像記録再生装置。
【請求項６】
前記再生レーティングが設定されている場合であって、前記抽出手段により抽出されたテイクが前記シーン内に一つも存在しない場合、前記該当シーン名を、通常とは異なる大きさで表示することを特徴とする請求項１に記載の映像記録再生装置。
【請求項７】
前記再生レーティングが設定されている場合、前記各シーン毎に、前記抽出手段により抽出されたテイクの数と、抽出されなかったテイクの数の双方を、前記各シーン毎のテイク数として表示することを特徴とする請求項１に記載の映像記録再生装置。
【発明の詳細な説明】
【技術分野】
【０００１】
本発明は、映像記録再生装置に関する。
【背景技術】
【０００２】
従来、シナリオにより作品作りを意識した撮影をユーザーにアシストするようなカメラがある。選択したシナリオの各シーンカテゴリ横に、各シーンカテゴリに帰属する撮影済みコマ画像の数（撮影枚数）を表示し、各シーンカテゴリ毎の撮影枚数を表示することで、各シーンカテゴリ毎の撮影枚数の過不足の確認を可能とするものがある（特許文献１参照）。
【先行技術文献】
【特許文献】
【０００３】
【特許文献１】特開２００６−０６０６５２号公報
【発明の概要】
【発明が解決しようとする課題】
【０００４】
しかしながら、上記従来例では、各シーンカテゴリに帰属する撮影済映像の数を表示するだけなので、以下のような問題があった。撮影済映像に、例えば３段階の「お気に入り度」と呼ばれる評価（以下、レーティングと呼ぶ）を各映像データに対する属性情報として設定する。そして、ユーザーによって指定された特定の段階のレーティングが設定された映像データのみを再生するような場合がある。この場合、実際に再生される映像が、シーンカテゴリ内にひとつも存在しないケースも存在しうるが、撮影時にそのことを、ユーザーが認識することができない。
【０００５】
本発明の目的は、上記のような場合でも、前記各シーンカテゴリに帰属する映像データ数表示を、レーティング設定に応じて異ならせることで、実際に再生される映像がシーンカテゴリ内にひとつも存在しないことを、撮影時に知らしめることができる映像記録再生装置を提供することにある。
【課題を解決するための手段】
【０００６】
上記の目的を達成するために、本出願に係わる第１の発明は、映像を撮影する撮影手段と、映像や各種情報を表示する表示手段と、複数のシーン名を時系列的に記述したシナリオデータを保存するシナリオデータ保存手段と、前記シーンを選択するシーン選択手段と、前記撮影手段により撮影されたテイクを前記シーン選択手段により選択された各シーンに関連付けて記録する記録手段と、各シーン毎に関連付けられているテイクの数を管理するテイク数管理手段と、前記各シーン毎のテイク数を表示するテイク数表示手段と、前記撮影された各テイク毎にレーティングを設定するレーティング設定手段と、再生レーティングを設定する再生レーティング設定手段と、前記設定された再生レーティングと、各テイク毎に設定されたレーティングとを比較し、その結果に応じて再生するテイクを抽出する抽出手段を有し、前記再生レーティングが設定されている場合には、再生レーティングが設定されていない場合とは異なる前記テイク数表示を行うことを特徴とする。
【０００７】
本出願に係わる第２の発明は、前記再生レーティングが設定されている場合、前記抽出手段により抽出されたテイクの数を、前記各シーン毎のテイク数として表示することを特徴とする。
【０００８】
本出願に係わる第３の発明は、前記再生レーティングが設定されている場合であって、前記抽出手段により抽出されたテイクが前記シーン内に一つも存在しない場合、前記該当シーンにもともと関連付けられているテイクの数を、通常とは異なる色で表示することを特徴とする。
【０００９】
本出願に係わる第４の発明は、前記再生レーティングが設定されている場合であって、前記抽出手段により抽出されたテイクが前記シーン内に一つも存在しない場合、前記該当シーンにもともと関連付けられているテイク数を、通常とは異なる大きさで表示することを特徴とする。
【００１０】
本出願に係わる第５の発明は、前記再生レーティングが設定されている場合であって、前記抽出手段により抽出されたテイクが前記シーン内に一つも存在しない場合、前記該当シーン名を、通常とは異なる色で表示することを特徴とする。
【００１１】
本出願に係わる第６の発明は、前記再生レーティングが設定されている場合であって、前記抽出手段により抽出されたテイクが前記シーン内に一つも存在しない場合、前記該当シーン名を、通常とは異なる大きさで表示することを特徴とする。
【００１２】
本出願に係わる第７の発明は、前記再生レーティングが設定されている場合、前記各シーン毎に、前記抽出手段により抽出されたテイクの数と、抽出されなかったテイクの数の双方を、前記各シーン毎のテイク数として表示することを特徴とする。
【発明の効果】
【００１３】
本発明によれば、再生レーティングが設定されている場合に、設定されていない場合と異なるテイク数表示を行うことにより、実際に再生されるテイクがシーン内にひとつも存在しないことを撮影時に知らしめることができる映像記録再生装置の提供を実現できる。
【図面の簡単な説明】
【００１４】
【図１】第１の実施形態における、シーン選択表示
【図２】第１、第２の実施形態における、デジタルビデオカメラの構成例を示すブロック図
【図３】シナリオデータの管理構造
【図４】シナリオ撮影モード時のシーン選択表示
【図５】シナリオ撮影モード時の動作フローチャート
【図６】第１の実施形態における、再生レーティング設定表示
【図７】第１の実施形態における、再生レーティング設定動作フローチャート
【図８】第１の実施形態における、シナリオデータの管理構造
【図９】第１の実施形態における、動作フローチャート
【図１０】第２の実施形態における、シーン選択表示
【図１１】第２の実施形態における、シーン選択表示
【発明を実施するための形態】
【００１５】
以下、図面を参照して本発明の好適な実施形態を説明する。
【００１６】
図２は本発明に係るカメラの一実施形態としてのデジタルビデオカメラ２００の構成例を示すブロック図である。
【００１７】
図２において、操作部２１３は、ユーザーが本デジタルビデオカメラに対して各種の指示を入力するために操作するスイッチやボタン等により構成されている。システム制御部２１０は、マイクロプロセッサ、プログラムメモリやワークメモリ等のメモリ、前記メモリをコントロールするメモリコントローラ等のロジック、時計部、タイマー機能、Ｉ／Ｏポート等により構成される。
【００１８】
システム制御部２１０は、同図に示す各部の動作を制御するものであり、操作部２１３または、タッチパネル２１１からの指示に応じて各部を制御する。制御部２１０がこのデジタルビデオカメラ全体の動作を統括して制御している。
【００１９】
撮像素子２０５は、レンズ２０１、露出機構２０２を介して入射される光を受け、その光量に応じた電荷を出力するものである。撮像素子２０５はＣＣＤやＣＭＯＳセンサなどの光電変換素子で構成される。
【００２０】
レンズ２０１は、複数のレンズから構成されたレンズ群であり、撮像素子２０５に被写体像を合焦させるためのフォーカスレンズや、撮像素子２０５に結像する被写体象の倍率を変化させる光学ズームレンズを備えている。露出機構２０２は、撮像素子２０５に到達する被写体像の光量を調節する絞りや、撮像素子に被写体像が到達しないよう撮像素子２０５を遮光するシャッターを備えている。
【００２１】
ＡＦ処理部２０３は、撮像素子２０５に結像された被写体像の合焦状態を調整するために、レンズ２０１に含まれるフォーカスレンズを駆動する。ＡＥ処理部２０４は、撮像素子２０５に到達する被写体像の光量を制御するため、露出機構２０２の絞りの開口径を調整したり、シャッターで撮像素子２０５を遮光したりする。
【００２２】
Ａ／Ｄ変換部２０６は、撮像素子２０５から出力されたアナログ画像信号に対して、サンプリング、ゲイン調整、Ａ／Ｄ変換等を行い、デジタル画像信号として出力する。
【００２３】
画像処理部２０７は、Ａ／Ｄ変換部２０６から出力されたデジタル画像信号に対してホワイトバランス処理、ガンマ変換処理、及び、色変換処理を含む各種の画像処理を行い、ＹＵＶ画像信号に変換したデジタル画像信号を出力する。
【００２４】
表示部２１２は、液晶パネルにより構成されており、画像処理部２０７にて処理されたデジタル画像信号を用いて画像を表示する。撮像素子２０５で生成された画像をリアルタイムで動画として表示することにより、ユーザーに被写体の様子を観察させることが可能である。
【００２５】
なお、操作部の一つとして、表示部２１２に対する接触を検知可能なタッチパネル２１１を有する。タッチパネル２１１と表示部２１２とは一体的に構成することができる。例えば、タッチパネル２１１を光の透過率が表示部２１２の表示を妨げないように構成し、表示部２１２の表示面の上層に取り付ける。そして、タッチパネルにおける入力座標と、表示部２１２上の表示座標とを対応付ける。これにより、恰もユーザが表示部２１２上に表示された画面を直接的に操作可能であるかのようなＧＵＩを構成することができる。
【００２６】
システム制御部２１０は、タッチパネル２１１への以下の操作を検出できる。
タッチパネルを指やペンで触れたこと（以下、タッチダウンと称する）。
タッチパネルを指やペンで触れている状態であること（以下、タッチオンと称する）。タッチパネルを指やペンで触れたまま移動していること（以下、ムーブと称する）。
タッチパネルへ触れていた指やペンを離したこと（以下、タッチアップと称する）。
タッチパネルに何も触れていない状態（以下、タッチオフと称する）。
【００２７】
これらの操作や、タッチパネル上に指やペンが触れている位置座標はシステム制御部２１０に通知され、システム制御部２１０は通知された情報に基づいてタッチパネル上にどのような操作が行なわれたかを判定する。タップは、タッチダウンとタッチアップが素早く行われる操作で、ダブルタップは、前記タップが素早く二回行われる操作である。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２８】
フォーマット変換部２０８は、画像処理部２０７から出力されたデジタル画像信号（画像データ）のフォーマットをＭＰＥＧ２形式やＭｏｔｉｏｎ  ＪＰＥＧ形式等のフォーマットに変換し、画像記録部２０９に出力する。
【００２９】
画像記録部２０９は、フォーマット変換部２０８から受けたフォーマット変換済みの画像データを、本デジタルビデオカメラ内の不図示のメモリや、本デジタルビデオカメラに挿入されている外部メモリ等に記録する。
【００３０】
近年、様々な動画撮影機器が普及し、誰にでも簡単に動画撮影を行うことができるようになってきた。しかし、動画撮影は、行き当たりばったりで撮影しても、なかなか良い作品とはならない。その為、ある程度のストーリーに沿って計画的に撮影することがよい作品作りには重要となる。しかし、計画的な撮影には相応のテクニックが必要であり、特に初心者には容易に行うことが困難であった。
【００３１】
このような背景において、専門家があらかじめ作成したシナリオに沿って、各シーンを撮影していけば、初心者であっても見栄えの良い作品作りが可能となる、「シナリオ撮影（撮影アシスト機能）」が提案されている。本提案は、このシナリオ撮影に関するものである。
【００３２】
以下、図３、図４、図５を用いて、シナリオ撮影に関して説明する。図３はシナリオデータの管理構造を示すものである。
【００３３】
３０１は、テーマＮｏ．で、各テーマの管理番号が記憶されている。３０２は、テーマ名で、ここでは、「旅行」「キッズ」を例として挙げているが、他に、「学校行事」「ホビー」「スポーツ」「パーティー」「イベント」「メッセージ」「ブログ」「プロモーション」等様々なものが考えられる。
【００３４】
３０３は、シーンＮｏ．で、テーマ内の各シーン名の管理番号が記憶されている。３０４は、シーン名で、ユーザーに対して撮影をアシストするようなコメントが記されている。例えば「ワクワク・ドキドキ・準備万端！」に対しては、旅行の準備風景を撮影すれば良いし、「旅の仲間を紹介！」に対しては、一緒に旅行に参加するメンバーを撮影すれば良い。このようにテーマ名に沿って撮影し、最後にテーマ名の順番に再生することにより、最終的に「旅行」という作品が完成する。
【００３５】
３０５は、各シーン毎に撮影したテイクを管理する領域で、テイクＮｏ．、テイク毎に設定されているレーティング情報から構成される。レーティングとは、いわゆる「お気に入り度」と呼ばれる評価のことで、ユーザーのお気に入りの度合いに応じて段階的に設定することができる。ここでは一例として、「★★★」（星三つ）〜「☆☆☆」（星ナシ）の４段階のレーティングを管理している。
【００３６】
３０６は、各シーン毎に再生されるテイク数を管理する領域である。後述する再生レーティング設定に応じて、再生されるテイク数は変化する。
【００３７】
前記管理構造によるシナリオデータ及び管理情報は、システム制御部２１０内のメモリに保存される。
【００３８】
図４はシナリオ撮影モード時のシーン選択表示、図５はシナリオ撮影モード時の動作フローチャートである。
【００３９】
Ｓ５０２では、カメラモードか否かを判定し、カメラモードの場合はＳ５０３に進み、そうでない場合にはＳ５１３に進む。Ｓ５０３では、シナリオ撮影モードか否かを判定し、シナリオ撮影モードの場合にはＳ５０４に進み、そうでない場合にはＳ５１３に進む。
【００４０】
Ｓ５０４では、シーン選択画面（図４（Ａ））を表示部２１２に表示する。図４（Ａ）では、前記テーマ名４０１と、テーマ名に属する各シーン名４０２、更に各テーマ毎に、既に撮影済みのテイク数４０３の表示を行う。
【００４１】
Ｓ５０５では、シーン選択が行われたか否かを判定し、シーン選択が行われた場合にはＳ５０６に進み、そうでない場合にはＳ５０５に戻り、シーン選択が行われるのを待つ。シーン選択は、操作部２１３のスイッチやボタンの操作により行っても良いし、タッチパネル２１１により、直接所望のシーン名をタッチするような操作でもかまわない。ここでは、４０４「旅の仲間を紹介！」が選択された場合を例に説明を進める。
【００４２】
Ｓ５０６では、シーン選択画面表示をオフし、通常の撮影画面に遷移する。この際、Ｓ５０７で、選択されたシーン名を表示する（図４（Ｂ）の４１１）。この表示により、撮影者に対して、旅の仲間を紹介するようなシーンの撮影を促すことができる。
【００４３】
Ｓ５０８では、撮影が開始されたか否かを判定し、撮影が開始された場合にはＳ５０９に進み、そうでない場合にはＳ５０８に戻り、撮影が開始されるのを待つ。Ｓ５０９では、撮影が終了したか否かを判定し、撮影が終了した場合にはＳ５１０に進み、そうでない場合にはＳ５０９に戻り、撮影終了を待つ。
【００４４】
Ｓ５１０では、レーティング選択表示をオンする（図４（Ｃ））。ここでは、前記４段階から所望のレーティングを選択できるように、４２２「★★★」、４２３「★★☆」、４２４「★☆☆」、４２５「☆☆☆」を表示する。レーティング選択は、操作部２１３のスイッチやボタンの操作により行っても良いし、タッチパネル２１１により、直接所望のレーティングをタッチするような操作でもかまわない。ここでは、４２３「★★☆」（星二つ）が選択された場合の表示である。
【００４５】
以上が、シナリオ撮影からレーティング設定までの説明である。
【００４６】
以下、図１、図６、図７、図８、図９、図１０、図１１を参照して、本発明の各実施例の動作を説明する。
【００４７】
＜第１の実施形態＞
第１の実施形態では、再生レーティング設定が行われた場合に、前記シーン選択画面上のテイク数を、実際に再生されるテイク数に置き換えて表示する例について説明する。
【００４８】
図１はシーン選択表示、図６は再生レーティング設定表示、図７は再生レーティング設定動作フローチャート、図８は再生レーティング設定時のシナリオデータの管理構造、図９は動作フローチャートである。
【００４９】
まず、再生レーティング設定の動作に関して説明する。再生レーティングとは、ユーザーにより指定された特定の段階のレーティングが設定されているテイクのみを抽出して、再生するという機能である。
【００５０】
図７のＳ７０２では、再生モードか否かを判定し、再生モードの場合にはＳ７０３に進み、そうでない場合にはＳ７０８に進む。Ｓ７０３では、ユーザー操作により、再生レーティング設定が選択されたか否かを判定し、選択された場合にはＳ７０４に進み、そうでない場合にはＳ７０８に進む。
【００５１】
Ｓ７０４では、再生レーティング選択画面（図６）を表示部２１２に表示する。図６で、６０３〜６０６は設定する再生レーティングの段階表示で、６０１は設定した再生レーティングによって抽出されたテイク数、６０２はその合計の再生時間表示である。
【００５２】
Ｓ７０５では、再生レーティング選択が行われたか否かを判定し、再生レーティング選択が行われた場合にはＳ７０６に進み、そうでない場合にはＳ７０５に戻り、再生レーティング選択が行われるのを待つ。再生レーティング選択は、操作部２１３のスイッチやボタンの操作により行っても良いし、タッチパネル２１１により、再生レーティングの段階表示をタッチするような操作でもかまわない。ここでは、６０４「★★★／★★☆」（星二つ以上）が選択された場合を例に説明を進める。Ｓ７０６では、再生レーティング選択画面表示をオフし、Ｓ７０７では、選択された再生レーティングに応じて、実際に再生されるテイクを抽出する。
【００５３】
図８は前記の再生レーティング設定「★★★／★★☆」（星二つ以上）に応じて実際に再生されるテイクの抽出を行った結果のシナリオデータの管理構成図である。グレーアウトされているテイクが再生されないテイクである。前記の抽出に伴い、再生されるテイク数が、図３（Ａ）に対して変化している。
【００５４】
図１（Ａ）は再生レーティング設定前のシーン選択画面表示で、１０１のテイク数表示は、図３（Ａ）の再生されるテイク数に一致している。図１（Ｂ）は再生レーティング設定後のシーン選択画面表示で、１０２のテイク数表示は、図８の再生されるテイク数に一致している。またここでは、再生レーティングが設定されていることをユーザーが認識できるように、設定されている再生レーティングの段階表示１０３も行う。
【００５５】
以上のように、第１の実施形態によれば、シナリオ撮影モードにおいて、以下の効果がある。
【００５６】
再生レーティングが設定されている場合には、シーン選択画面のテイク数として、シナリオ再生で実際に再生されるテイク数を表示することにより、再生されるテイクがシーン内にひとつも存在しないことを撮影時に知らしめることができる。また、設定されている再生レーティングの段階も合わせて表示することにより、設定した再生レーティングに見合った作品に仕上げるために、どのシーンをどの程度の撮影レベルで撮影すれば良いかをガイドできるという効果がある。
【００５７】
＜第２の実施形態＞
第２の実施形態では、前記再生レーティング設定により、実際に再生されるテイクがシーン内に一つも存在しない場合の、様々なシーン選択画面に関して説明する。図１０、図１１はシーン選択表示である。
【００５８】
シーン選択画面表示以外の動作に関しては、前記と同様なのでここでの説明は省略する。図１０（Ａ）は再生レーティング設定により「旅のスケジュール紹介」「乗り込めー！」のシーン内に、実際に再生されるテイクが一つも存在しない場合（図８）の例で、該当するテイク数１００１、１００２を通常とは異なる色で表示している。
【００５９】
図１０（Ｂ）は再生レーティング設定により「旅のスケジュール紹介」「乗り込めー！」のシーン内に、実際に再生されるテイクが一つも存在しない場合（図８）の例で、該当するテイク数１０１１、１０１２を通常とは異なる大きさで表示している。
【００６０】
図１０（Ｃ）は再生レーティング設定により「旅のスケジュール紹介」「乗り込めー！」のシーン内に、実際に再生されるテイクが一つも存在しない場合（図８）の例で、該当するシーン名１０２１、１０２２を通常とは異なる色で表示している。
【００６１】
図１０（Ｄ）は再生レーティング設定により「旅のスケジュール紹介」「乗り込めー！」のシーン内に、実際に再生されるテイクが一つも存在しない場合（図８）の例で、該当するシーン名１０３１、１０３２を通常とは異なる大きさで表示している。
【００６２】
図１１は再生レーティング設定により、各シーン毎に、実際に再生されるテイク数と再生されないテイク数の双方を表示している。
【００６３】
以上のように、第２の実施形態によれば、シナリオ撮影モードにおいて、以下の効果がある。
【００６４】
第２の実施形態では、設定された再生レーティングにより、再生されるテイクがシーン内にひとつも存在しない場合でも、該当するシーンをユーザーに通知するのみで、撮影済みのテイク数は確認できるようにしている。従って、該当するシーンに対して、新たにテイクを撮り直すのか、撮影済みテイクのレーティングを変更して使用するのかなどの選択肢を、ユーザーに対して与えられるという効果がある。
【００６５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上記実施形態では、デジタルビデオカメラを例に説明したが、映像を記録再生することが可能な様々な映像記録再生装置において同様の効果を見出すことが可能である。
【符号の説明】
【００６６】
２００  デジタルビデオカメラ、２０１  レンズ、２０２  露出機構、
２０３  ＡＦ処理部、２０４  ＡＥ処理部、２０５  撮像素子、２０６  Ａ／Ｄ変換部、
２０７  画像処理部、２０８  フォーマット変換部、２０９  画像記録部、
２１０  システム制御部、２１１  タッチパネル、２１２  表示部、２１３  操作部
【図５】
2016122940.tif 000003
【図７】
2016122940.tif 000004
【図９】
2016122940.tif 000005
【図１１】
2016122940.tif 000006
【図１】
2016122940.tif 000007
【図２】
2016122940.tif 000008
【図３】
2016122940.tif 000009
【図４】
2016122940.tif 000010
【図６】
2016122940.tif 000011
【図８】
2016122940.tif 000012
【図１０】
2016122940.tif 000013